(57)【要約】【課題】媒体がカセットと媒体キャリアに跨る状態でジャムした場合でも、ジャムした媒体の除去が容易な媒体取扱装置を提供することを目的とする。【解決手段】通帳カセット１５から通帳２５を繰出す際に、通帳２５が通帳カセット１５と媒体キャリア１８に跨る状態でジャムすると透過センサ２８により検出される。通帳２５が通帳カセット１５と媒体キャリア１８に跨る状態でジャムしたことが検出されると、媒体キャリア１８を最上位へ移動する。これによりジャムした通帳２５は媒体キャリア１８か通帳カセット１５のいずれかに保持され、ジャムした通帳２５の除去が容易になる。【選択図】  図２
2008120481.tif 000002
【特許請求の範囲】
【請求項１】
媒体を繰出し可能に収納する媒体収納部と、
前記媒体収納部に対向する位置に位置づけられ、媒体収納部から繰出される媒体を取り込み、媒体を取り込んだ状態で移動可能な媒体キャリアとを有する媒体取扱装置において、
前記媒体収納部と前記媒体キャリアとの間に跨った状態の媒体を検出する媒体検出手段と、
前記媒体検出手段により前記媒体収納部と前記媒体キャリアとの間に跨った状態の媒体が検出されると、前記媒体キャリアを所定の位置に移動する移動制御手段とを設けたことを特徴とする媒体取扱装置。
【請求項２】
前記媒体収納部は複数設けられ、前記所定の位置は、複数の媒体収納部の何れにも対向しない位置である請求項１記載の媒体取扱装置。
【請求項３】
前記媒体収納部は、複数の通帳を繰出し可能に収納する通帳カセットおよび複数の証書を繰出し可能に収納する証書カセットを含む請求項１又は２記載の媒体取扱装置。
【発明の詳細な説明】
【技術分野】
【０００１】
本発明は、金融機関等で使用される通帳証書発行装置等の媒体取扱装置に関し、とくに媒体のジャムが発生した場合の処理に好適な媒体取扱装置に関するものである。
【背景技術】
【０００２】
一般に、銀行等の金融機関においては、新規通帳の発行、通帳の繰越処理、証書発行等の業務において、処理の簡略化を図るために通帳証書発行装置を用いている。通帳の発行については銀行の窓口の通帳発行装置で行われるだけでなく、顧客が操作を行う自動取引装置の中にも通帳発行装置が具備されており、自動取引装置において通帳を挿入して取引を行った際に、通帳繰越が発生すると、通帳発行装置により新たな通帳を発行できるようになっている。
【０００３】
通帳証書発行装置は従来より種々のものが開発されており、例えば特開平１０−２９７３３号公報に開示されるものがある。これは、通帳や証書を複数繰出し可能に収納するカセットと、カセット収納部の上部にある媒体処理部に送出する媒体キャリアを設け、媒体キャリアを希望の通帳又は証書を収納するカセットに対向させ、媒体キャリア内に通帳又は証書を繰出すことにより、複数のカセットのそれぞれに対応して媒体の繰出しを行う繰出し機構を設ける必要がなくなり、簡素化した機構を提供することができるものである。
【特許文献１】特開平１０−２９７３３号公報
【発明の開示】
【発明が解決しようとする課題】
【０００４】
しかしながら、上記従来の通帳証書発行装置においては、例えば、カセットから繰出した通帳または証書が、たまたまカセットと媒体キャリアの間に跨った状態でジャムした場合、カセットを装置外に引き出そうとすると通帳または証書が装置に引っ掛かり、カセットを引き出すことが困難である。そのためジャムした通帳または証書を除去することが困難であるという問題があった。
【０００５】
そこで本発明は、媒体がカセットと媒体キャリアに跨る状態でジャムした場合でも、ジャムした媒体の除去が容易な媒体取扱装置を提供することを目的とするものである。
【課題を解決するための手段】
【０００６】
上記課題を解決するために本発明は、媒体を繰出し可能に収納する媒体収納部と、前記媒体収納部に対向する位置に位置づけられ、媒体収納部から繰出される媒体を取り込み、媒体を取り込んだ状態で移動可能な媒体キャリアとを有する媒体取扱装置において、前記媒体収納部と前記媒体キャリアとの間に跨った状態の媒体を検出する媒体検出手段と、前記媒体検出手段により前記媒体収納部と前記媒体キャリアとの間に跨った状態の媒体が検出されると、前記媒体キャリアを所定の位置に移動する移動制御手段とを設けたことを特徴とする。
【発明の効果】
【０００７】
本発明によれば、媒体検出手段が媒体収納部と媒体キャリアとの間に跨った状態の媒体を検出すると、移動制御手段が媒体キャリアを所定の位置へ移動させる。これにより、媒体収納部と媒体キャリアとの間に跨っていた媒体は、媒体収納部または媒体キャリアのいずれか一方のみに保持され、媒体の除去が容易になる効果がある。
【発明を実施するための最良の形態】
【０００８】
以下、本発明の実施の形態を図面にしたがって説明する。各図面に共通する要素には同一の符号を付す。図１は本発明の実施の形態の通帳証書発行装置を示す概略構成図、図２は実施の形態の通帳カセットおよび媒体キャリアを示す構成図である。以下に説明する実施の形態では、媒体取扱装置として通帳証書発行装置を例にして説明する。
【０００９】
図１において、通帳証書発行装置１は処理ユニット２と媒体収納ユニット３とから構成される。処理ユニット２には、磁気書き込み読取部４、印字部５、頁捲り部６、搬送路７が設けられており、処理ユニット２の端部には搬送路７に接続して媒体排出口８、インサータ９およびスタッカ１０が形成されている。磁気書き込み読取部４は発行する通帳に設けられる磁気ストライプに対して所定の事項を磁気記録するとともに、磁気記録を読取る。印字部５は、発行される通帳または証書に対して印字を行う部分である。
【００１０】
頁捲り部６は、通帳の表紙又は中紙を捲る機構を有する。搬送路７は媒体排出口８から媒体収納ユニット３に設けられるリジェクトボックス１１まで上記の磁気書き込み読取部４、印字部５および頁捲り部６に沿うように形成され、各所に通帳または証書を搬送する図示しない搬送ローラが設けられている。搬送路７には分岐搬送路１２が接続されている。分岐搬送路１２は後述するように媒体キャリアの内部搬送路に接続する。
【００１１】
媒体収納ユニット３には、複数の通帳カセット１５、複数の証書カセット１６、複数の証書繰出し部１７、媒体キャリア１８およびリジェクトカセット１９が設けられている。通帳カセット１５は縦方向に整列して設けられるとともに、上側の４組は互いに横方向に向き合う状態で設けられている。通帳カセット１５は、図１における紙面鉛直方向に移動することにより媒体収納ユニット３に対して着脱可能となっている。即ち、通帳カセット１５には取っ手２０が設けられ、係員がこの取っ手２０を持って図１における手前側に引くことにより通帳カセット１５が媒体収納ユニット３から引き出される。
【００１２】
証書カセット１６には複数の証書が積層状態で収納されている。証書の繰出し側に証書繰出し部１７が設けられている。証書カセット１６も通帳カセット１５と同様に図１における紙面鉛直方向に移動することにより媒体収納ユニット３に対して着脱可能となっている。
【００１３】
媒体キャリア１８は図示しない駆動手段により上下方向に移動可能であり、最上位（符号１８´で示す媒体キャリア１８の位置）に位置したときに上部が処理ユニット２内に入り込み、この位置で媒体キャリア１８に形成された内部搬送路２１が上述の分岐搬送路１２に接続する。媒体キャリア１８は各通帳カセット１５または各証書カセット１６の通帳または証書を繰出し可能な位置に停止可能となっている。
【００１４】
図２は通帳カセット１５と媒体キャリア１８を示す。図２において、通帳カセット１５には複数の通帳２５が立設状態で押圧部材２６により矢印方向に押圧されている。通帳カセット１５の繰出し側上部にはゲート２７が形成され、ゲート２７は繰出される通帳２５を１枚（冊）ずつ分離する。通帳カセット１５の通帳繰出し側下部には透過センサ２８の一方の素子２８ａが設けられている。
【００１５】
媒体キャリア１８には繰出しローラ２９が回転可能に、かつアーム３０により揺動可能に設けられている。アーム３０は支点３１を中心に回転する。アーム３０が回転することにより、繰出しローラ２９が揺動し、媒体キャリア１８の両側の通帳カセット１５または証書カセット１６の通帳２５または証書を繰出すことができる。また媒体キャリア１８には略逆Ｙ字形の内部搬送路２１が形成され、内部搬送路２１は中央から左下に延びる搬送路２１ａ、中央から右下に延びる搬送路２１ｂ、それに中央から上方に延びる搬送路２１ｃとから成り、各搬送路２１ａ、２１ｂ、２１ｃの合流部付近に搬送ローラ３３、３４、３５が回転可能に設けられている。
【００１６】
搬送ローラ３３と搬送ローラ３４は、通帳カセット１５から繰出されて搬送路２１ａに入り込んできた通帳２５を挟持して搬送する。同様に、搬送ローラ３３と搬送ローラ３５は、反対側の通帳カセット１５から繰出されて搬送路２１ｂに入り込んできた通帳２５を挟持して搬送する。また合流した搬送路である搬送路２１ｃは、上部に行くにつれて湾曲形状をしており、媒体キャリア１８が最上部に位置したときに、上述の分岐搬送路１２に接続する。搬送路２１ｃの上部には通帳２５または証書を検出する検出センサ３６が設けられている。
【００１７】
また搬送路２１ａの下端部および搬送路２１ｂの下端部には透過センサ２８の他方の素子２８ｂが設けられている。素子２８ｂは、媒体キャリア１８により通帳２５を繰出すべく位置付けられた通帳カセット１５の上部の通帳カセット１５に設けられた一方の素子２８ａとで、通帳カセット１５から繰出され媒体キャリア１８に入り込む通帳２５を検出する。即ち、素子２８ａと素子２８ｂからなる透過センサ２８は、通帳カセット１５と媒体キャリア１８に跨った通帳２５を検出する。
【００１８】
図３は実施の形態の証書カセット１６および媒体キャリア１８を示す構成図である。図３において、証書カセット１６には複数の証書４１が積層状態で収納されている。証書４１の繰出し側の下部には圧縮スプリング４２が配設され、証書４１を上方に押圧している。証書カセット１６の繰出し側には証書繰出し部１７が設けられている。
【００１９】
証書繰出し部１７は、繰出しローラ４３、搬送ローラ４４、４５、４６、レジストローラ４７および搬送路４８から構成される。繰出しローラ４３は証書カセット１６内の最上位の証書４１を繰出し、搬送ローラ４４およびレジストローラ４７は繰出された証書４１を最上位の１枚に分離する。搬送ローラ４５、４６は分離されて１枚になった証書４１を媒体キャリア１８側へ搬送する。
【００２０】
証書繰出し部１７にも透過センサ２８の一方の素子２８ａが設けられており、証書カセット１６と媒体キャリア１８との間に跨った証書４１を検出できるようになっている。なお図３に示す素子２８ａは下部の証書カセット１６から繰出される証書４１を検出するもので、上部の証書カセット１６から繰出される証書４１を検出する素子はその上部に配設される図示しない通帳カセット１５又は証書カセット１６に設けられる素子により検出される。
【００２１】
図４は実施の形態の通帳証書発行装置を示す制御ブロック図である。図４において、通帳証書発行装置１には制御部５１、移動制御部５２、通帳繰出し制御部５３、証書繰出し制御部５４、搬送制御部５５が設けられている。制御部５１は通帳証書発行装置１の動作全体を制御する。移動制御部５２は制御部５１の指示により媒体キャリア１８を移動するキャリア移動機構部５６を駆動することにより、媒体キャリア１８の移動を制御する。
【００２２】
通帳繰出し制御部５３は、通帳繰出し部５７を駆動することにより、図２に示す繰出しローラ２９を駆動し、通帳２５を繰出し搬送する。証書繰出し制御部５４は、図３に示す証書繰出し部１７を駆動し、証書４１を繰出し搬送する。搬送制御部５５は、搬送モータ５８を駆動することにより、図２に示す搬送ローラ３３、３４、３５を駆動し、通帳２５または証書４１を搬送する。
【００２３】
制御部５１には透過センサ２８および検出センサ３６が接続され、これらのセンサ２８、３６からの検出信号を受信する。また制御部５１には端末装置５９が接続され、係員からの入力指示を受信する。なお通帳証書発行装置１には他の構成要素も含まれることはいうまでもないが、ここでは本実施の形態に特に関係のある要素を図示している。
【００２４】
次に本実施の形態の動作を説明する。ここでは図５に示すフローチャートにしたがって通帳の発行処理動作を説明する。図５は実施の形態における通帳発行処理動作を示すフローチャートである。まず、係員により端末装置５９から通帳証書発行装置１に通帳発行指示が送られると（ステップ１）、制御部５１は移動制御部５２に指示し、キャリア移動機構部５６を駆動し、媒体キャリア１８を、発行を指示された通帳２５の収納されている通帳カセット１５に対向する位置まで移動を開始する（ステップ２）。
【００２５】
媒体キャリア１８が通帳カセット１５に対向する位置に位置づけられると（ステップ３）、制御部５１は通帳繰出し制御部５３に指示し、通帳繰出し部５７を駆動し、図２に示すアーム３０を、繰出しを行う通帳カセット１５側へ回転し、繰出しローラ２９を回転させる。これにより、繰出しローラ２９に圧接する通帳２５が図２における上方に繰出される（ステップ４）。通帳２５はゲート２７により１枚（冊）に分離され、繰出しローラ２９の回転により媒体キャリア１８側に搬送される。
【００２６】
通帳２５が繰出されると、透過センサ２８により通帳２５が検出される（ステップ５）。もし検出されない場合は（ステップ５のＮ）、繰出しローラ２９のスリップ等で通帳２５をゲート２７より先に繰出すことができない状態で、この場合は、繰出しローラ２９の駆動開始から所定時間が経過してもなお透過センサ２８で検出されない場合は（ステップ６）、制御部５１は図示しない表示部に繰出し不良を表示して係員に通知する（ステップ７）。
【００２７】
ステップ５で透過センサ２８が通帳２５の繰出しを検出すると、制御部５１は搬送制御部５５に指示し、搬送モータ５８を駆動し、搬送ローラ３３、３４、３５を回転する。これにより通帳２５は、搬送路２１ａを搬送され、さらに搬送路２１ｃに引き入れられる。そして搬送路２１ｃの上部に設けられる検出センサ３６により通帳２５が検出される（ステップ８）。検出センサ３６により通帳２５が検出された時点で、通帳２５は透過センサ２８を通過しており、透過センサ２８により通帳２５は検出されていない。
【００２８】
検出センサ３６により通帳２５が検出されると、制御部５１は搬送制御部５５に指示し、搬送モータ５８の駆動を停止する（ステップ９）。これにより通帳２５は、図６に示すように、媒体キャリア１８の上部、即ち、搬送路３２ａと搬送路３２ｃに渡って搬送ローラ３３と搬送ローラ３４に挟持された状態で停止する。なお図６は通帳の繰出し動作を示す動作説明図である。
【００２９】
次に制御部５１は、移動制御部５２に指示し、キャリア移動機構部５６を駆動し、媒体キャリア１８を最上位へ移動して停止させる（ステップ１０）。これにより媒体キャリア１８は処理ユニット２に入り、媒体キャリア１８の搬送路２１ｃが分岐搬送路１２に接続する。そして搬送モータ５８を駆動することにより、搬送ローラ３３と搬送ローラ３４により挟持されていた通帳２５は媒体キャリア１８から分岐搬送路１２へ受け渡される（ステップ１１）。その後通帳２５は分岐搬送路１２から搬送路７を搬送され、磁気書き込み読取部４および印字部５で必要な処理が行われる。これ以降の処理は本発明とは直接関係しないので、説明を省略する。
【００３０】
上記ステップ５において、透過センサ２８により通帳２５を検出しなかった場合は、繰出しローラ２９と通帳２５との間に滑りが発生し、通帳２５が通帳カセット１５から殆ど繰出されない場合であるが、この場合は通帳２５がゲート２７より先に繰り出されてはいないので、通帳カセット１５を装置１から脱抜することは可能で、通帳カセット１５を引き出すことにより繰出されなかった通帳２５を取り除くことができる。
【００３１】
ステップ８において、透過センサ２８が通帳２５を検出した後、検出センサ３６が通帳２５を検出しなかった場合（ステップ１２）は、これは図２に示すように、通帳２５がゲート２７を通り抜けて媒体キャリア１８に取り込まれる途中に、検出センサ３６が通帳２５を検出する前に通帳２５に滑りが発生してジャムが発生した場合であるが、この場合、透過センサ２８は通帳２５を検出しており、通帳２５は通帳カセット１５と媒体キャリア１８の間に跨った状態で停止している。
【００３２】
このまま通帳証書発行装置１を停止した場合、通帳カセット１５を引き出そうとしても通帳２５が引っ掛かって引き出すことができないので、ジャムした通帳２５を取り除くことが困難であるが、本実施の形態では、この後制御部５１は、搬送制御部５５に指示し、搬送モータ５８の駆動を停止し（ステップ１３）、さらに移動制御部５２に指示し、キャリア移動機構部５６を駆動し、媒体キャリア１８を最上位へ移動して停止させる（ステップ１４）。
【００３３】
このとき、ジャムした通帳２５は媒体キャリア１８により上方に運ばれるか、または通帳カセット１５に取り残されるかのいずれかである。ジャムした通帳２５が媒体キャリア１８により運ばれる状態を図７に示す。図７において、通帳２５は媒体キャリア１８の側部から突出した状態で上方に移動し、通帳２５の突出した部分が移動途中に他の通帳カセット１５に突き当たる可能性があるが、通帳２５の突き当たった部分が撓むことにより媒体キャリア１８および通帳２５の上方への移動は可能である。
【００３４】
図８にジャムした通帳を保持する通帳カセットを示す。図８において、ジャムした通帳２５の先端部が通帳カセット１５から突出している。この場合媒体キャリア１８は上方へ移動しており、通帳カセット１５を装置１から引き出す際に通帳２５の先端部が媒体キャリア１８に突き当たることがなく、通帳カセット１５は容易に引き出すことができる。したがってジャムした通帳２５を容易に除去することができる。
【００３５】
制御部５１は、媒体キャリア１８を最上位に移動した後、図示しない表示部に通帳２５のジャムが発生したことを表示して係員に通知する（ステップ１５）。以上により通帳発行処理におけるジャムした通帳の除去動作についての説明を終了する。
【００３６】
次に図９に示すフローチャートにしたがって証書の発行処理動作を説明する。図９は実施の形態における証書発行処理動作を示すフローチャートである。まず、係員により端末装置５９から通帳証書発行装置１に証書発行指示が送られると（ステップ２１）、制御部５１は移動制御部５２に指示し、キャリア移動機構部５６を駆動し、媒体キャリア１８を、発行指示された証書４１の収納されている証書カセット１６に対向する位置まで移動を開始する（ステップ２２）。
【００３７】
媒体キャリア１８が証書カセット１６に対向する位置に位置づけられると（ステップ２３）、制御部５１は証書繰出し制御部５４に指示し、証書繰出し部１７を駆動し、繰出しローラ４３、搬送ローラ４４、４５、４６およびレジストローラ４７を回転させる。これにより、繰出しローラ４３に圧接する証書４１が繰出される（ステップ２４）。証書４１は搬送ローラ４４およびレジストローラ４７により１枚に分離され、搬送ローラ４５、４６回転により媒体キャリア１８側に搬送される。
【００３８】
証書４１が繰出されると、透過センサ２８により証書４１が検出される（ステップ２５）。もし検出されない場合は（ステップ２５のＮ）、証書繰出し部１７におけるスリップ等で証書４１を繰出すことができない状態で、この場合は、証書繰出し部１７の駆動開始から所定時間が経過してもなお透過センサ２８で検出されない場合は（ステップ２６）、制御部５１は図示しない表示部に繰出し不良を表示して係員に通知する（ステップ２７）。
【００３９】
ステップ２５で透過センサ２８が証書４１の繰出しを検出すると、制御部５１は搬送制御部５５に指示し、搬送モータ５８を駆動し、搬送ローラ３３、３４、３５を回転する。これにより証書４１は、搬送路２１ａを搬送され、さらに搬送路２１ｃに引き入れられる。そして搬送路２１ｃの上部に設けられる検出センサ３６により証書４１が検出される（ステップ２８）。検出センサ３６により証書４１が検出された時点で、証書４１の種類によっては透過センサ２８を通過しているものもあれば、通過していないものもある。
【００４０】
検出センサ３６により証書４１が検出されると、制御部５１は搬送制御部５５に指示し、搬送モータ５８の駆動を停止する（ステップ２９）。これにより証書４１は、媒体キャリア１８の搬送路２１ａと搬送路２１ｃに渡って搬送ローラ３３と搬送ローラ３４に挟持された状態で停止する。
【００４１】
次に制御部５１は、移動制御部５２に指示し、キャリア移動機構部５６を駆動し、媒体キャリア１８を最上位へ移動して停止させる（ステップ３０）。このとき証書４１の長さが長い場合には、証書４１の後端部が証書繰出し部１７に挟持されていることがあるが、証書繰出し部１７における搬送速度を媒体キャリア１８の上方への移動速度と等速かやや速い速度にすることにより、挟まれた証書４１はスムーズに証書繰出し部１７から抜け出ることができる。
【００４２】
媒体キャリア１８は最上位に移動することにより処理ユニット２に入り、媒体キャリア１８の搬送路２１ｃが分岐搬送路１２に接続する。そして搬送モータ５８を駆動することにより、搬送ローラ３３と搬送ローラ３４により挟持されていた証書４１は媒体キャリア１８から分岐搬送路１２へ受け渡される（ステップ３１）。その後証書４１は分岐搬送路１２から搬送路７を搬送され、印字部５で必要な処理が行われるるが、これ以降の処理は本発明とは直接関係しないので、説明を省略する。
【００４３】
上記ステップ２５において、透過センサ２８により証書４１を検出しなかった場合は、例えば繰出しローラ４３と証書４１との間に滑りが発生し、証書４１が証書カセット１６から繰出されない場合であるが、この場合は証書４１が証書繰出し部１７より先に繰り出されてはいないので、証書カセット１６を装置１から脱抜することは可能で、証書カセット１６を引き出すことにより繰出されなかった証書４１を取り除くことができる。
【００４４】
ステップ２８において、透過センサ２８が証書４１を検出した後、検出センサ３６が証書４１を検出しなかった場合（ステップ３２）は、これは図３に示すように、繰出された証書４１の先端部が証書繰出し部１７を通り媒体キャリア１８に取り込まれる際に、検出センサ３６が証書４１を検出する前に証書４１に滑りが発生してジャムが発生した場合であるが、この場合、透過センサ２８は証書４１を検出しており、証書４１は証書カセット１６または証書繰出し部１７と媒体キャリア１８の間に跨った状態で停止している。
【００４５】
このまま通帳証書発行装置１を停止した場合、証書カセット１６を引き出そうとしても証書４１が引っ掛かって引き出すことができないので、ジャムした証書４１を取り除くことが困難であるが、本実施の形態では、この後制御部５１は、搬送制御部５５に指示し、搬送モータ５８の駆動を停止し（ステップ３３）、さらに移動制御部５２に指示し、キャリア移動機構部５６を駆動し、媒体キャリア１８を最上位へ移動して停止させる（ステップ３４）。このとき証書繰出し部１７は、媒体キャリア１８の上昇に伴って証書４１を送り出すように駆動することはしない。
【００４６】
このとき、ジャムした証書４１は媒体キャリア１８により上方に運ばれるか、または証書カセット１６または証書繰出し部１７に取り残されるかのいずれかである。ジャムした証書４１が媒体キャリア１８により運ばれる状態を図１０に示す。図１０において、証書４１は媒体キャリア１８の側部から突出して垂れ下がった状態で上方に移動し、証書４１の突出した部分が移動途中に他の通帳カセット１５に突き当たる可能性があるが、証書４１の突き当たった部分が撓むことにより媒体キャリア１８および証書４１の上方への移動は可能である。
【００４７】
図１１にジャムした証書を保持する証書カセットを示す。図１１において、ジャムした証書４１の先端部が証書カセット１６から突出し垂れ下がっている。この場合媒体キャリア１８は上方へ移動しており、証書カセット１６を装置１から引き出す際に証書４１の先端部が媒体キャリア１８に突き当たることがなく、証書カセット１６は容易に引き出すことができる。したがってジャムした証書４１を容易に除去することができる。
【００４８】
制御部５１は、媒体キャリア１８を最上位に移動した後、図示しない表示部に証書４１のジャムが発生したことを表示して係員に通知する（ステップ３５）。以上により通帳発行処理におけるジャムした通帳の除去動作についての説明を終了する。  
【図面の簡単な説明】
【００４９】
【図１】実施の形態の通帳証書発行装置を示す概略構成図である。
【図２】実施の形態の通帳カセットおよび媒体キャリアを示す構成図である。
【図３】実施の形態の証書カセットおよび媒体キャリアを示す構成図である。
【図４】実施の形態の通帳証書発行装置を示す制御ブロック図である。
【図５】実施の形態における通帳発行処理動作を示すフローチャートである。
【図６】通帳の繰出し動作を示す動作説明図である。
【図７】ジャムした通帳を保持した媒体キャリアの移動を示す動作説明図である。
【図８】ジャムした通帳を保持した通帳カセットを示す説明図である。
【図９】実施の形態における証書発行処理動作を示すフローチャートである。
【図１０】ジャムした証書を保持した媒体キャリアの移動を示す動作説明図である。
【図１１】ジャムした証書を保持した証書カセットを示す説明図である。
【符号の説明】
【００５０】
１  通帳証書発行装置
２  処理ユニット
３  媒体収納ユニット
１５  通帳カセット
１６  証書カセット
１７  証書繰出し部
１８  媒体キャリア
２５  通帳
２８  透過センサ
３６  検出センサ
４１  証書
５１  制御部
【図１】
2008120481.tif 000003
【図２】
2008120481.tif 000004
【図３】
2008120481.tif 000005
【図４】
2008120481.tif 000006
【図５】
2008120481.tif 000007
【図６】
2008120481.tif 000008
【図７】
2008120481.tif 000009
【図８】
2008120481.tif 000010
【図９】
2008120481.tif 000011
【図１０】
2008120481.tif 000012
【図１１】
2008120481.tif 000013